(57)【要約】【課題】  居室親機に人感センサを設け、居住者が接近した時のみ居室親機の液晶表示部のバックライトを点灯させる制御を行い、外出時には人感センサを防犯センサとしての使用を可能とする。【解決手段】  居室親機２は、管理室親機３等から送信されたお知らせ情報を記憶する記憶部２６と、お知らせ情報を表示するモニタ２１と、人感センサ２４を有し、親機ＣＰＵ２９は人感センサ２４が感知動作した時に新着のお知らせがあればバックライト２１ａを点灯させ、新着のお知らせが無ければバックライトのオフ状態を維持し、防犯モードに移行したら人感センサ２４の感度を高感度に切り替える。更に防犯モードで感知動作したら制御装置４へ異常発生信号を送信する。【選択図】  図２
2017152971.tif 000002
【特許請求の範囲】
【請求項１】
来訪者が居住者を呼び出すための集合玄関機と、前記集合玄関機からの呼出に居住者が応答するための居室親機と、居住者と通話するための管理室親機と、機器間の通信を制御する制御装置とを有する集合住宅インターホンシステムであって、
前記居室親機は、前記管理室親機或いは別途前記制御装置に接続されたお知らせ情報入力手段から送信されたお知らせ情報を記憶するお知らせ記憶部と、前記お知らせ情報を表示する液晶表示部と、人感センサと、前記液晶表示部のバックライトを制御する表示部制御部とを有し、
前記表示部制御部は、当該人感センサが感知動作した時に新着のお知らせがあれば、前記バックライトを点灯させ、新着のお知らせが無ければ前記バックライトのオフ状態を維持することを特徴とする集合住宅インターホンシステム。
【請求項２】
前記人感センサの検知感度は、高感度と低感度に切り替えが可能であり、
前記居室親機は、前記人感センサの感度を切替制御する感度制御部と、防犯モードに移行させる防犯設定ボタンと、防犯モードに移行制御する親機制御部とを有し、
前記感度制御部は、前記防犯モードが解除されている通常モード状態では前記人感センサの感度を低感度状態とし、前記防犯モードに移行したら前記人感センサの感度を高感度に切り替えると共に、
前記親機制御部は、前記防犯モードで感知動作したら前記制御装置へ異常発生信号を送信することを特徴とする請求項１記載の集合住宅インターホンシステム。
【請求項３】
前記表示部制御部は、前記防犯モードに移行した状態で前記人感センサが感知動作しても、前記バックライトを点灯しないことを特徴とする請求項２記載の集合住宅インターホンシステム。
【発明の詳細な説明】
【技術分野】
【０００１】
本発明は、集合住宅インターホンシステムに関し、特に居室親機に新着のお知らせが届いた場合に、その通報形態を改良した集合住宅インターホンシステムに関する。
【背景技術】
【０００２】
管理室親機等から個々の居室親機に対して回覧やお知らせの情報を送信できる集合住宅インターホンシステムがある。例えば、特許文献１では、管理室親機から居室親機にメッセージを送信したら、メッセージを受信したた居室親機が、ＬＥＤを点灯させて居住者にメッセージがあることを知らせた。
一方で、居室親機に防犯センサを接続してセキュリティ機能を向上させた集合住宅インターホンシステムがある（例えば、特許文献２参照）。
【先行技術文献】
【特許文献】
【０００３】
【特許文献１】特開２００７−５３６３３号公報
【特許文献２】特開２００６−１０１３２８号公報
【発明の概要】
【発明が解決しようとする課題】
【０００４】
メッセージ送信機能を備えた上記特許文献１の集合住宅インターホンシステムでは、送信されたメッセージに対して居室親機を確認操作しない限り、ＬＥＤの点灯／点滅が継続されたため、煩わしく感じる居住者がいた。
一方で、居室親機に人感センサが接続されている場合、この感知動作を利用してメッセージがあることを知らせれば、継続した通知動作を無くすことが可能と考えられた。
【０００５】
そこで、本発明はこのような問題点に鑑み、居室親機に人感センサを設け、居住者が接近した時のみ居室親機の液晶表示部のバックライトを点灯させる制御を行い、外出時には人感センサを防犯センサとしての使用を可能とした集合住宅インターホンシステムを提供することを目的としている。
【課題を解決するための手段】
【０００６】
上記課題を解決する為に、請求項１の発明は、来訪者が居住者を呼び出すための集合玄関機と、集合玄関機からの呼出に居住者が応答するための居室親機と、居住者と通話するための管理室親機と、機器間の通信を制御する制御装置とを有する集合住宅インターホンシステムであって、居室親機は、管理室親機或いは別途制御装置に接続されたお知らせ情報入力手段から送信されたお知らせ情報を記憶するお知らせ記憶部と、お知らせ情報を表示する液晶表示部と、人感センサと、液晶表示部のバックライトを制御する表示部制御部とを有し、表示部制御部は、当該人感センサが感知動作した時に新着のお知らせがあれば、バックライトを点灯させ、新着のお知らせが無ければバックライトのオフ状態を維持することを特徴とする。
この構成によれば、居住者に通知すべき新着のお知らせがあれば、居住者の接近に合わせて液晶表示部が明るくなるため、居住者は新着のお知らせ情報があることを認識でき、見る確率が高まる。
尚、新着のお知らせ情報とは、居住者により確認操作がされてないお知らせをいい、所定の確認操作が成されたら新着ではなくなる。
【０００７】
請求項２の発明は、請求項１に記載の構成において、人感センサの検知感度は、高感度と低感度に切り替えが可能であり、居室親機は、人感センサの感度を切替制御する感度制御部と、防犯モードに移行させる防犯設定ボタンと、防犯モードに移行制御する親機制御部とを有し、感度制御部は、防犯モードが解除されている通常モード状態では人感センサの感度を低感度状態とし、防犯モードに移行したら人感センサの感度を高感度に切り替えると共に、親機制御部は、防犯モードで感知動作したら制御装置へ異常発生信号を送信することを特徴とする。
この構成によれば、居室親機が防犯モードに移行したら、人感センサの感度が高感度になるため、人物が比較的遠くにいても感知動作する。そして感知動作したら制御装置に異常発生信号が送信されるため、管理室親機等で警報音を鳴動させることが可能であり、居室親機に設けた人感センサを防犯センサとして活用できる。
【０００８】
請求項３の発明は、請求項２に記載の構成において、表示部制御部は、防犯モードに移行した状態で人感センサが感知動作しても、バックライトを点灯しないことを特徴とする。
この構成によれば、防犯モード状態では人物の接近を感知しても居室親機の液晶表示部は明るくならないため、不必要な電力消費がない。
【発明の効果】
【０００９】
本発明によれば、居住者に通知すべき新着のお知らせがあれば、居住者の接近に合わせて液晶表示部が明るくなるため、居住者は新着のお知らせ情報があることを認識でき、見る確率が高まる。そして、居室親機が防犯モードに移行したら人感センサの感度が上がり、人物が比較的遠くにいても感知動作するため、人感センサを防犯センサとして活用できる。
【図面の簡単な説明】
【００１０】
【図１】本発明に係る集合住宅インターホンシステムの一例を示す構成図である。
【図２】居室親機の回路ブロック図である。
【発明を実施するための形態】
【００１１】
以下、本発明を具体化した実施の形態を、図面を参照して詳細に説明する。図１は本発明に係る集合住宅インターホンシステムの一例を示す構成図であり、１はエントランス等に設置されて来訪者が居住者を呼び出すために操作される集合玄関機、２は各住戸に設置されて集合玄関機１からの呼び出しに居住者が応答して通話するための居室親機、３は管理人室に設置されて来訪者や居住者と通話するための管理室親機、４は集合玄関機１と居室親機２の間等の機器間の通信を制御する制御装置、５はお知らせ情報を入力するためのお知らせ入力装置である。
集合玄関機１、管理室親機３はそれぞれ伝送線Ｌ１，Ｌ２により制御装置４に接続され、居室親機２は親機幹線Ｌ３を介して制御装置４に接続されている。
【００１２】
図２は居室親機２の回路ブロック図を示している。図２に示すように、居室親機２は、集合玄関機１のカメラ１１が撮像した来訪者映像や図示しない監視カメラの撮像映像、そして配信されたお知らせ情報を表示する液晶ディスプレイからなるモニタ２１、モニタ２１に表示する映像を処理する映像処理部２２、呼び出しに対する応答操作やお知らせ確認操作等の各種操作を行う操作部２３，人感センサ２４、防犯設定ボタン２５、来訪者映像やお知らせ情報等を記憶する記憶部２６、通話するためのスピーカ２７ａ及びマイク２７ｂ、スピーカ２７ａ／マイク２７ｂを制御する通話回路部２７、居室親機２を制御する親機ＣＰＵ２９、制御装置４と通信する親機通信ＩＦ３０等を備えている。
尚、人感センサ２４は、感度を高感度／低感度と２つの状態を設定でき、親機ＣＰＵ２９の制御により切り替えが成される。
【００１３】
上記の如く構成された集合住宅インターホン装置の動作は以下のようである。但し、集合玄関機１で住戸を選択して居住者を呼び出し、居室親機２からの応答操作を受けて通話する機能、呼出操作に連動してカメラ１１で撮像された映像がモニタ２１に表示される動作等については従来と同様であるため説明を省略し、ここでは居室親機２に配信されたお知らせ情報に新規のものがある場合の通知動作を中心に説明する。
【００１４】
先ず、各居室親機２へのお知らせ情報の配信は、管理室親機３から或いはお知らせ入力装置５から管理人等により入力されて制御装置４を経由して一斉配信される。このお知らせ情報を受信した居室親機２は、所定の確認操作が成されるまで次に示すように新着情報有りの表示動作を実施する。
人感センサ２４は常時能動状態にあり、感知動作したら即ち居住者が近くに居ることを検知すると、親機ＣＰＵ２９が新着のお知らせ情報があるかどうか判別し、新着のお知らせ情報があることを認識するとモニタ２１のバックライト２１ａを点灯させる。この場合、明るくなったモニタ画面に所定の待受画面が表示されるが、お知らせ有りを通知する画面を表示させても良い。何れの表示でも、バックライト２１ａが点灯することで、居室親機２に近づいた居住者は、まだ見ていないお知らせがあることを認識する。
そして、この新着のお知らせ情報有りを認識した居住者により、お知らせ内容を確認する所定の操作部２３の操作が成されたら、親機ＣＰＵ２９が新着のお知らせは確認されたと判断して次回から人感センサ２４が感知動作してもバックライト２１ａの点灯を実施しない。
【００１５】
尚、居室親機２が操作を受けない待受状態では、モニタ２１のバックライト２１ａはオフしており、画面は暗い状態にある。そして、親機ＣＰＵ２９が新着のお知らせ情報があるかどうか判別した際に、無ければバックライト２１ａを点灯せず、オフ状態が維持される。
また、お知らせ情報が新着かどうかの判断は、配信された段階で親機ＣＰＵ２９がお知らせ情報にフラグを立てて新着であると認識し、居室親機２においてその情報の表示操作が成されたらフラグを外す。この段階でお知らせ情報が新着ではなくなる。
【００１６】
この状態で、防犯設定ボタン２５が押下されると、親機ＣＰＵ２９は所定時間の経過を待ち、所定時間が経過したら居室親機２をそれまでの通常モード状態から防犯モードへ移行させる。防犯モードへ移行すると、窓センサ等の居室親機２に接続されている防犯センサが能動状態となる。また、人感センサ２４は感度が高感度に移行する。例えば、通常モード状態では、親機ＣＰＵ２９の制御により人感センサ２４は１メートル程度まで居室親機に人物が接近しなければ感知動作しない低感度状態にあるが、防犯モードに移行すると、６メートル程度の距離でも人物の存在を感知する高感度状態に移行する。
【００１７】
こうして防犯モードへの移行を受けて、親機ＣＰＵ２９は人感センサ２４の感度を上げて不審者を検知する防犯センサとして動作させ、感知動作したら他の防犯センサと同様に異常発生信号を制御装置４へ送信する。
この異常発生信号を受けた制御装置４では、管理室親機３へ異常発生を通知して発報動作させる。また、外部の警備会社等の通報機関と接続されていたら、異常発生を外部に通報する。
尚、防犯モード状態では、新着のお知らせ情報があっても人感センサ２４が動作した際、モニタ２１のバックライト２１ａは点灯しない。
【００１８】
このように、居住者に通知すべき新着のお知らせがあれば、居住者の接近に合わせてモニタ２１が明るくなるため、居住者は新着のお知らせ情報があることを認識でき、見る確率が高まる。
また、居室親機２が防犯モードに移行したら、人感センサの感度が高感度になるため、人物が比較的遠くにいても感知動作し、感知信号は制御装置４に通知されるため、管理室親機３等で警報音を鳴動させることができ人感センサ２４を防犯センサとして活用できる。
更に、防犯モード状態では人物の接近を感知しても居室親機２のモニタ２１は明るくならないため、不必要な電力消費がない。
【００１９】
尚、上記実施形態では、人感センサ２４の感知動作を受けて、モニタ２１のバックライト２１ａを点灯させるものであるが、同時に新着のお知らせ情報を表示させても良い。また、人感センサ２４を居室親機２のケースに組み付けているが、居室親機２の近くに設置して信号を居室親機２に送信する構成としても良い。
また人感センサ２４は、低感度状態では感知範囲を約１メートル以内としたが、０．５メートル程度と更に低感度としても良く、居室親機２を設置する部屋の大きさや居住者の移動するエリアに応じて設定すると良い。逆に防犯センサとして使用する高感度状態では、感知範囲は広い方が好ましく１０メートル程度で感知動作しても良い。
【符号の説明】
【００２０】
１・・集合玄関機、２・・居室親機、３・・管理室親機、４・・制御装置、２１・モニタ（液晶表示部）、２１ａ・・バックライト、２４・・人感センサ、２５・・防犯設定ボタン、２６・・記憶部（お知らせ記憶部）、２９・・親機ＣＰＵ（表示制御部、親機制御部）。
【図１】
2017152971.tif 000003
【図２】
2017152971.tif 000004